【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
フローサイトメータのための光学系であって、前記光学系は、
粒子検査領域を含むフローセルと、
少なくとも２つの光サブユニットと
を備え、
前記少なくとも２つの光サブユニットはそれぞれ、
光ビームを生成する光源であって、前記光ビームは、前記粒子検査領域を通過する、光源と、
前記光ビームを収束光ビームに変換するように構成される収束素子と
を備える、光学系。
【請求項２】
前記少なくとも２つの光サブユニットは、第１の光サブユニットと、第２の光サブユニットとを備え、前記第１の光サブユニットは、（ｉ）第１の光ビームを生成するように構成される第１の光源と、（ｉｉ）前記第１の光ビームを第１の収束光ビームに変換するように構成される第１の収束素子とを備え、前記第２の光サブユニットは、（ｉ）第２の光ビームを生成するように構成される第２の光源と、（ｉｉ）前記第２の光ビームを第２の収束光ビームに変換するように構成される第２の収束素子とを備え、
前記光学系は、２色性素子を備える光学縦列をさらに備え、前記光学縦列は、前記第１の収束光ビームと前記第２の収束光ビームとを前記粒子検査領域に方向付けるように構成され、前記２色性素子は、前記第１の収束光ビーム及び前記第２の収束光ビームへ収差をほとんどまたは全く導入しないように構成される、請求項１に記載の光学系。
【請求項３】
前記２色性素子は、入射面を通して前記第１の収束光ビームを受けるように構成され、前記入射面は、前記第１の収束光ビームに少なくともほぼ垂直であるように構成される、請求項２に記載の光学系。
【請求項４】
前記２色性素子は、射出面を通して前記第１の収束光ビームを第１の伝搬される収束光ビームとして伝搬するように構成され、前記射出面は、前記第１の伝搬される収束光ビームに少なくともほぼ垂直であるように構成される、請求項２に記載の光学系。
【請求項５】
前記２色性素子は、第２の入射面を通して前記第２の収束光ビームを受けるように構成され、前記第２の入射面は、前記第２の収束光ビームに少なくともほぼ垂直であるように構成される、請求項４に記載の光学系。
【請求項６】
前記２色性素子は、前記射出面を通して前記第２の収束光ビームを第２の伝搬される収束光ビームとして伝搬するように構成され、前記射出面は、前記第２の伝搬される収束光ビームに少なくともほぼ垂直であるように構成される、請求項５に記載の光学系。
【請求項７】
前記入射面は、前記第１の収束光ビームの全ての部分が前記２色性素子に同時に入ることを可能にするように構成される、請求項３に記載の光学系。
【請求項８】
前記２色性素子は、プリズムを備える、請求項２に記載の光学系。
【請求項９】
前記２色性素子は、キューブを形成するように配列された２つのプリズムを備える、請求項８に記載の光学系。
【請求項１０】
前記２色性素子は、前記２つのプリズム間に配置される波長選択膜を含む、請求項９に記載の光学系。
【請求項１１】
前記光学縦列は、第２の２色性素子をさらに備え、前記第２の２色性素子は、入射面を通して第３の収束光ビームを受けるように構成され、前記入射面は、前記第３の収束光ビームに少なくともほぼ垂直であるように構成される、請求項１０に記載の光学系。
【請求項１２】
第３の光サブユニットをさらに備え、前記第３の光サブユニットは、（ｉ）第３の光ビームを生成するように構成される第３の光源と、（ｉｉ）前記第３の光ビームを第３の収束光ビームに変換するように構成される第３の収束素子とを備え、前記光学縦列は、前記第３の収束光ビームを前記粒子検査領域に方向付け、前記第３の収束光ビームへ収差をほとんどまたは全く導入しないように構成される、請求項１または請求項２に記載の光学系。
【請求項１３】
前記第１の収束光ビーム及び前記第２の収束光ビームは、それぞれが前記粒子検査領域に方向付けられるため、フラットトッププロファイルまたはガウスプロファイルを維持する、請求項２に記載の光学系。
【請求項１４】
前記収差は、球面収差、非点収差、直線コマ収差、及び、三次コマ収差を含む、請求項２に記載の光学系。
【請求項１５】
前記第１の収束素子は、凸レンズである、請求項２に記載の光学系。
【請求項１６】
前記２色性素子は、ロングパスフィルタまたはショートパスフィルタである、請求項２に記載の光学系。
【請求項１７】
前記光学縦列は、プレート２色性素子を含まない、請求項２に記載の光学系。
【請求項１８】
前記第１の光ビーム及び前記第２の光ビームは、視準されない、請求項２に記載の光学系。
【請求項１９】
前記第１の光サブユニット及び前記第２の光サブユニットは、それぞれ、光機械台に取り付けられ、前記光機械台は、ｘ、ｙ、及びｚ座標系上での独立した調節のために構成される、請求項２に記載の光学系。
【請求項２０】
フローサイトメータにおいて光ビームを組み合わせる方法であって、前記方法は、
少なくとも２つの光ビームを提供することと、
収束素子当たり１つの光ビームの割合で、前記光ビームのそれぞれを収束素子に通すことであって、前記収束素子を出る前記光ビームは、収束光ビームである、ことと、
前記収束光ビームのうちの少なくとも１つを少なくとも１つの２色性素子に通すことと、
フローセル内の前記検査領域に入るときに、前記収束光ビームを互いに空間的に分離することと
を含む、方法。
【請求項２１】
前記少なくとも２つの光ビームは、第１の光ビームと、第２の光ビームとを含み、前記光ビームのそれぞれを収束素子に通すことは、第１の収束光ビーム及び第２の収束光ビームを生成するために、前記第１の光ビームを第１の収束素子に通し、前記第２の光ビームを第２の収束素子に通すことを含み、
前記方法は、光学縦列を用いて前記第１の収束光ビーム及び前記第２の収束光ビームをフローセル内の検査領域に方向付けることをさらに含み、前記光学縦列は、２色性素子を備え、前記２色性素子は、前記第１の収束光ビーム及び前記第２の収束光ビームへ収差をほとんどまたは全く導入しないように構成され、前記第１の収束光ビーム及び前記第２の収束光ビームは、前記検査領域に入るときに空間的に分離される、請求項２０に記載の方法。
【請求項２２】
前記少なくとも２つの光ビームは、第１の光ビームと、第２の光ビームとを含み、前記光ビームのそれぞれを収束素子に通すことは、（ｉ）第１の光源によって生成された前記第１の光ビームを第１の収束素子に通すことによって第１の収束光ビームを生成することであって、前記第１の光源及び前記第１の収束素子は、第１の光機械台に取り付けられる、ことと、（ｉｉ）第２の光源によって生成された前記第２の光ビームを第２の収束素子に通すことによって第２の収束光ビームを生成することであって、前記第２の光源及び前記第２の収束素子は、第２の光機械台に取り付けられる、こととを含み、
前記方法は、
光学縦列を用いて、前記第１の収束光ビーム及び前記第２の収束光ビームを第１のセットの位置内のフローセルに方向付けることであって、前記２色性素子は、前記第１の収束光ビーム及び前記第２の収束光ビームへ収差をほとんどまたは全く導入しないように構成される、ことと、
前記第１の光機械台または前記第２の光機械台を再配置することと、
前記光学縦列を用いて、前記第１の収束光ビーム及び前記第２の収束光ビームを第２のセットの位置内のフローセルに方向付けることであって、前記第２のセットの位置は、前記第１のセットの位置とは異なる、ことと
をさらに含む、請求項２０に記載の方法。
【手続補正２】
【補正対象書類名】明細書
【補正対象項目名】００１１
【補正方法】変更
【補正の内容】
【００１１】
一態様では、フローサイトメータ光学的整列方法が開示される。本方法は、少なくとも２つの収束光ビームを生成することを含むことができ、収束光ビームのそれぞれは、光源によって生成される光ビームを収束素子に通すことによって生成され、光源及び収束素子は、光機械台に取り付けられる。本方法は、収束光ビームのうちの少なくとも１つを２色性素子に通すことを含むことができる。本方法は、収束光ビームのそれぞれを、空間的に異なる第１の位置のセット中のフローセルに通すことを含むことができる。本方法は、光機械台のうちの少なくとも１つを調節して、少なくとも１つの光源及び少なくとも１つの収束素子を再配置することを含むことができる。本方法は、収束光ビームのそれぞれを、空間的に異なる第２の位置のセット中のフローセルに通すことを含むことができる。
本発明は、例えば、以下を提供する。
（項目１）
フローサイトメータのための光学系であって、
粒子検査領域を含むフローセルと、
少なくとも２つの光サブユニットと、を備え、前記少なくとも２つの光サブユニットはそれぞれ、
光ビームを生成する光源であって、前記光ビームは、前記粒子検査領域を通過する、光源と、
前記光ビームを収束光ビームに変換するように構成される収束素子と、を備える前記光学系。
（項目２）
前記光サブユニットのそれぞれが、光機械台にそれぞれ取り付けられ、各光機械台は、前記粒子検査領域を通過する前記収束光ビームの空間分離を調節するために操作可能である、項目１に記載の前記光学系。
（項目３）
前記光機械台は、前記収束ビームの前記焦点を前記粒子検査領域に位置合わせするように調節され得る、項目２に記載の前記光学系。
（項目４）
前記収束光ビームを前記フローセルに方向付けるように構成される、少なくとも１つの２色性素子をさらに備える、項目１に記載の前記光学系。
（項目５）
前記少なくとも１つの２色性素子は、２つの隣接するプリズムと、前記隣接するプリズムの間に位置付けられる波長選択膜とからなる、項目４に記載の前記光学系。
（項目６）
前記波長選択膜は、ロングパスフィルタとして作用するように構成される、項目５に記載の前記光学系。
（項目７）
前記波長選択膜は、ショートパスフィルタとして作用するように構成される、項目５に記載の前記光学系。
（項目８）
フローセルは、流体の流れを含むように構成され、前記フローセルは、粒子を流動させるように構成される、項目１に記載の前記光学系。
（項目９）
前記粒子は、前記収束光ビームのそれぞれによって検査される、項目８に記載の前記光学系。
（項目１０）
前記粒子は、前記収束光ビームのそれぞれによって検査される、項目９に記載の前記光学系。
（項目１１）
前記収束素子は、凸レンズである、項目１に記載の前記光学系。
（項目１２）
前記空間分離は、約８０マイクロメートル〜約２００マイクロメートルである、項目１に記載の前記光学系。
（項目１３）
前記空間分離は、約１０マイクロメートル〜約１００マイクロメートルである、項目１に記載の前記光学系。
（項目１４）
前記収束光ビームは、フラットトップ強度プロファイルを有する、項目１に記載の前記光学系。
（項目１５）
前記光ビームは、実質的に単色である、項目１に記載の前記光学系。
（項目１６）
フローサイトメータにおいて光ビームを組み合わせる方法であって、
少なくとも２つの光ビームを提供することと、
収束素子当たり１つの光ビームの割合で、前記光ビームのそれぞれを収束素子に通すことであって、前記収束素子を出る前記光ビームは、収束光ビームである、通すことと、
前記収束光ビームのうちの少なくとも１つを少なくとも１つの２色性素子に通すことと、
フローセル内の前記検査領域に入るときに、前記収束光ビームを互いに空間的に分離することと、を含む、前記方法。
（項目１７）
前記収束光ビームは、互いから約８０マイクロメートル〜約２００マイクロメートルの距離、前記検査領域に入るときに空間的に分離される、項目１６に記載の前記方法。
（項目１８）
前記収束光ビームは、互いから約１０マイクロメートル〜約１００マイクロメートルの距離、前記検査領域に入るときに空間的に分離される、項目１６に記載の前記方法。
（項目１９）
前記２色性素子は、前記収束光ビームへの収差の導入を防止するように構成される、項目１６に記載の前記方法。
（項目２０）
前記収束光ビームは、フラットトップ強度プロファイルを有する、項目１６に記載の前記方法。
（項目２１）
フローサイトメータ光学的整列方法であって、
少なくとも２つの収束光ビームを生成することであって、前記収束光ビームのそれぞれは、光源によって生成される光ビームを収束素子に通すことによって生成され、前記光源及び前記収束素子は、光機械台に取り付けられる、生成することと、
前記収束光ビームのうちの少なくとも１つを２色性素子に通すことと、
前記収束光ビームのそれぞれを、空間的に異なる第１の位置のセット中のフローセルに通すことと、
前記光機械台のうちの少なくとも１つを調節して、少なくとも１つの光源及び少なくとも１つの収束素子を再配置することと、
前記収束光ビームのそれぞれを、空間的に異なる第２の位置のセット内のフローセルに通すことと、を含む前記方法。
（項目２２）
前記２色性素子は、前記収束光ビームへの収差の導入を防止するように構成される、項目２１に記載の前記方法。
（項目２３）
前記光機械台を調節することは、ｘ、ｙ、及びｚ座標系上で生じる、項目２１に記載の前記方法。
（項目２４）
フローセルを通過する粒子をさらに含み、前記粒子は、前記収束光ビームによって検査される、項目２１に記載の前記方法。
（項目２５）
フローサイトメータのための光学系であって、
粒子検査領域を含むフローセルと、
少なくとも２つの光サブユニットと、を備え、前記少なくとも２つの光サブユニットはそれぞれ、
光ビームを生成する光源であって、前記光ビームは、前記粒子検査領域に入るように構成される、光源と、
前記光ビームを収束光ビームに変換するように構成される収束素子と、を備える前記光学系。
（項目２６）
集光ブロックをさらに備え、前記集光ブロックは、少なくとも１つの粒子に衝突する前記収束光ビームによって生じる散乱光を収集して、データセットを生成するように構成される、項目２５に記載の前記光学系。
（項目２７）
前記データセットは、１０％未満のＣＶを有する、項目２６に記載の前記光学系。
（項目２８）
前記データセットは、５％未満のＣＶを有する、項目２６に記載の前記光学系。
（項目２９）
前記データセットは、３％未満のＣＶを有する、項目２６に記載の前記光学系。
（項目３０）
前記検査領域内の前記光ビームは、９０％の光ビーム強度以上で、フラットトッププロファイル及び約４０〜約６０マイクロメートルの幅を有する、項目２５に記載の前記光学系。
（項目３１）
前記検査領域内の前記光ビームは、９０％のビーム強度以上で、フラットトッププロファイル及び約４５〜約５５マイクロメートルの幅を有する、項目２５に記載の前記光学系。
（項目３２）
光ビームをフローサイトメータに組み込む方法であって、
少なくとも２つの光ビームを提供することと、
前記光ビームのそれぞれを収束素子に通すことであって、前記収束素子を出る前記光ビームは、収束光ビームである、通すことと、
前記収束光ビームのうちの少なくとも１つを少なくとも１つの２色性素子に通すことと、
フローセル内の前記検査領域に入るときに、前記収束光ビームを互いに空間的に分離することと、を含む、前記方法。
（項目３３）
前記検査領域から散乱光を収集して、データセットを生成するステップをさらに含む、項目３２に記載の前記方法。
（項目３４）
前記データセットは、１０％未満のＣＶを有する、項目３３に記載の前記方法。
（項目３５）
前記データセットは、５％未満のＣＶを有する、項目３３に記載の前記方法。
（項目３６）
前記データセットは、３％未満のＣＶを有する、項目３３に記載の前記方法。
（項目３７）
前記検査領域内の前記光ビームは、９０％のビーム強度以上で、フラットトッププロファイル及び約４０〜約６０マイクロメートルの幅を有する、項目３２に記載の前記方法。
（項目３８）
前記検査領域内の前記光ビームは、９０％のビーム強度以上で、フラットトッププロファイル及び約４５〜約５５マイクロメートルの幅を有する、項目３２に記載の前記方法。
（項目３９）
フローサイトメータ光学的整列方法であって、
少なくとも２つの収束光ビームを生成することであって、前記収束光ビームのそれぞれは、光源によって生成される光ビームを収束素子に通すことによって生成され、前記光源及び前記収束素子は、光機械台に取り付けられる、生成することと、
前記収束光ビームのうちの少なくとも１つを２色性素子に通すことと、
前記収束光ビームのそれぞれを、空間的に異なる第１の位置のセット中のフローセルに通すことと、
前記光機械台のうちの少なくとも１つを調節して、少なくとも１つの光源及び少なくとも１つの収束素子を再配置することと、
前記収束光ビームのそれぞれを、空間的に異なる第２の位置のセット内のフローセルに通すことと、を含む前記方法。
（項目４０）
前記検査領域から散乱光を収集して、データセットを生成するステップをさらに含む、項目３９に記載の前記方法。
（項目４１）
前記データセットは、１０％未満のＣＶを有する、項目４０に記載の前記方法。
（項目４２）
前記データセットは、５％未満のＣＶを有する、項目４０に記載の前記方法。
（項目４３）
前記データセットは、３％未満のＣＶを有する、項目４０に記載の前記方法。
（項目４４）
前記検査領域内の前記光ビームは、９０％のビーム強度以上で、フラットトッププロファイル及び約４０〜約６０マイクロメートルの幅を有する、項目３９に記載の前記方法。
（項目４５）
前記検査領域内の前記光ビームは、９０％のビーム強度以上で、フラットトッププロファイル及び約４５〜約５５マイクロメートルの幅を有する、項目３９に記載の前記方法。